(57)【要約】【課題】貼付される写真が流用、転用されたものではなく、報告書の内容と合致したものであることを明確に証明するシステムを提供する。【解決手段】撮影装置と報告書作成装置によって写真入り報告書を作成するシステムであって、前記撮影装置は、被写体の撮影手段と、画像関連情報生成手段と、撮影された画像情報と画像関連情報を１対１に対応させる合成手段と、合成画像情報を改竄不能に処理手段する改竄不能化処理手段と、合成画像情報の暗号化手段と、合成画像情報への電子署名付与手段と、検索コード付与手段と、これら情報の記録媒体への格納手段と、送信手段とを備え、前記報告作成装置は、読出し手段によって受信手段により受信された又は記録媒体に格納された合成画像情報と電子署名を読出して復号し、合成画像情報を報告書に貼付して写真入報告書を作成する。【選択図】  図１
2004201084.tif 000002
【特許請求の範囲】
【請求項１】
撮影装置と、報告書作成装置によって写真入り報告書を作成するシステムであって、
前記撮影装置は、被写体を撮影し画像情報とする撮影手段と、画像情報に関連する画像関連情報を生成する画像関連情報生成手段と、画像情報と画像関連情報を１対１に対応させて合成画像情報とする合成手段と、合成画像情報を改竄不能にする改竄不能化処理手段と、合成画像情報を暗号化する暗号化手段と、合成画像情報に電子署名を付与する電子署名付与手段と、合成画像情報と電子署名に検索コードを付与する検索コード付与手段と、検索コードを付与された合成画像情報と電子署名を記録媒体に格納する格納手段と、検索コードを付与された合成画像情報と電子署名を送信する送信手段とを備え、
前記報告作成装置は、受信手段により受信された、又は記録媒体に格納された合成画像情報と電子署名を読出し手段によって読出し、復号手段によって復号し、合成画像情報を取り出して報告書に貼付して出力手段によって印刷することを特徴とする写真入り報告書作成するシステム。
【請求項２】
画像関連情報は、少なくとも緯度及び経度で表示される撮影場所情報，撮影装置固有コード，日付及び／または時間情報の中の少なくとも1つを含む情報であることを特徴とする請求項1に記載の写真入り報告書作成するシステム。
【請求項３】
改竄不能化処理は、合成手段が実行される際に実行されることを特徴とする請求項1に記載の写真入り報告書作成するシステム。
【請求項４】
改竄不能化処理は、合成手段とは別に実行されることを特徴とする請求項1に記載の写真入り報告書作成するシステム。
【請求項５】
改竄不能化処理手段は、合成手段によって合成された画像情報と画像関連情報を分解不可能にする手段であることを特徴とする請求項1〜４何れかに記載の写真入り報告書作成するシステム。
【発明の詳細な説明】
【０００１】
【発明の属する技術分野】
本発明は、写真入り報告書作成システムに関し、詳しくは建設現場や、工事現場の工事進捗状況報告書に改竄対策を施した写真を貼付するシステムに関する。
【０００２】
【従来の技術】
報告書に写真を貼付する習慣は、建設業界などで日常的に行なわれているが、下記のような課題があった。
全ての作業箇所に関して報告書を作成する必要があるために、報告書作成者の負担が大きかった。また、報告書に貼付される写真に対して報告書に記載の内容と合致しているという証明をすることができなかった。
また、建設現場が異なるが設計図が共通な場合に、先行して作業が完了している現場の写真が現在施行中の報告書に流用されても判別することができなかった。
そこで、工事現場写真の登録、検索、編集方法とそのための装置に関する技術が開示されている（特許文献1参照）。
前記特許文献１で開示されている技術は、工事現場写真データベースを構築し、工事現場写真の登録、検索、編集を行なう際の手間を軽減し、費用の削減を図ることを主眼としており、使用される写真と報告書内容の整合性については、配慮されていない。
【０００３】
【特許文献１】
特開平９−１１４８５７
【０００４】
【発明が解決しようとする課題】
前述の課題を解決するために、本発明は、貼付される写真が流用、転用されたものではなく、報告書の内容と合致したものであることを明確に証明するシステムを提供することを目的とするものである。
【０００５】
【課題を解決するための手段】
前記課題の目的を達成するために本発明の写真入報告書作成システムの請求項１に記載の発明は、撮影装置と、報告書作成装置によって写真入り報告書を作成するシステムであって、前記撮影装置は、被写体を撮影し画像情報とする撮影手段と、画像情報に関連する画像関連情報を生成する画像関連情報生成手段と、画像情報と画像関連情報を１対１に対応させて合成画像情報とする合成手段と、合成画像情報を改竄不能にする改竄不能化処理手段と、合成画像情報を暗号化する暗号化手段と、合成画像情報に電子署名を付与する電子署名付与手段と、合成画像情報と電子署名に検索コードを付与する検索コード付与手段と、検索コードを付与された合成画像情報と電子署名を記録媒体に格納する格納手段と、検索コードを付与された合成画像情報と電子署名を送信する送信手段とを備え、
前記報告作成装置は、受信手段により受信された、又は記録媒体に格納された合成画像情報と電子署名を読出し手段によって読出し、復号手段によって復号し、合成画像情報を取り出して報告書に貼付して出力手段によって印刷することを特徴とするものである。
【０００６】
また、請求項２に記載の発明は、請求項1に記載の発明において画像関連情報は、少なくとも緯度及び経度で表示される撮影場所情報，撮影装置固有コード，日付及び／または時間情報の中の少なくとも1つを含む情報であることを特徴とするものである。
【０００７】
また、請求項３に記載の発明は、請求項1に記載の発明において改竄不能化処理は、合成手段が実行される際に実行されることを特徴とするものである。
【０００８】
また、請求項４に記載の発明は、請求項1に記載の発明において改竄不能化処理は、合成手段とは別に実行されることを特徴とするものである。
【０００９】
また、請求項５に記載の発明は、請求項1〜４何れかに記載の発明において  改竄不能化処理手段は、合成手段によって合成された画像情報と画像関連情報を分解不可能にする手段であることを特徴とするものである。
【００１０】
【発明の実施の形態】
以下図面を参照して本発明の写真入報告書作成システムについて説明する。
図１は、本発明の写真入報告書作成システムの機器構成の一実施形態を示す概略図、図２は、本発明の写真入報告書作成システムによる報告書作成手順の一実施形態を示す図、図３は、撮影装置の機能について説明するためのブロック図、図４は、撮影装置の画像撮影と、画像関連情報を合成する手順の一実施形態を示す図、図５は、建設現場の画像と、その画像関連情報の実施例について説明するための図、図６は、図５の画像情報を貼付した報告書の一実施例について説明するための図、である。
【００１１】
図１を参照して、本発明の写真入報告書作成システムの機器構成の一実施形態について説明する。
本発明の写真入報告書作成システムは、少なくとも画像を撮影するための撮影装置１、撮影した画像情報を記録する画像記録媒体１１、報告書を作成するための報告書作成装置２、報告書のフォーマットや作成した報告書を記録保存するための報告書作成装置用記録媒体２１、図示していないが報告書をハードコピーとして出力するプリンタ等で構成される。
【００１２】
図２を参照して報告書作成の手順の一実施形態について説明する。
最初のステップ（以下Ｓという。）として、報告書作成装置を起動する（Ｓ１）。
次に、本実施の形態では、報告書フォーマットを記録媒体であるフレキシブルディスクから入力する（Ｓ２）。報告書フォーマットは、報告書作成装置のハードディスクに保存されても良い。
報告書作成装置の入力部に装着されたメモリーチップなどの画像記録媒体から撮影装置で撮影された画像情報を読み出す（Ｓ３）。
メモリチップに記録されている画像情報は暗号化されているために、所定の鍵で復号する。所定の鍵は報告書作成装置に読み出し不能な状態で格納されており、復号命令コマンドによって報告書作成装置の中で復号作業が行なわれる（Ｓ４）。
報告書は、一定の書式に則って作成されるが、復号された画像情報は、画像情報一時格納部に格納され、報告書作成時の適当なタイミングで報告書に貼付される。
報告書の文書部分の作成が行なわれ、文書内容に合わせて前記一時保管された画像情報が報告書の所定の位置に添付される（Ｓ５）。
でき上がった報告書は、報告書作成装置のハードディスクに格納されても良いが、報告書作成装置が共有されている場合は、担当者が各自保管する記録媒体に記録する必要があり、フレキシブルディスクなどに保存される。
紙に印刷して関連部署に回覧する場合は印刷し、捺印欄に報告書作成者の印を押して上司に提出する。電子報告書の形式が採用されている場合は、電子捺印して上司のアドレスに送信する（Ｓ６）。
報告書の送信に際しては、暗号化されるのが一般的である。
【００１３】
図３を参照して、撮影装置の機能について説明する。
図１に示す撮影装置１は、撮像部（カメラ）１０、入力部（操作部）１０８、表示部１０９、通信部１１０が外装パネルの表面に全部、または一部露出する状態で組み込まれている。
また、ＣＰＵ１１６、ＲＯＭ１１３、ＲＡＭ１１４、記録部（情報格納部）１１５、時計部１１１、ＧＰＳ（Ｇｌｏｂａｌ  Ｐｏｓｉｔｉｏｎｉｎｇ  Ｓｙｓｔｅｍ）部１１２等が内蔵部品として電話機の内部に組み込まれている。ＧＰＳは外付けになる場合もある。
【００１４】
まず、図３を参照して撮像部１０とその周辺部品の役割について説明する。
図３において、撮像部１０によって撮影された被写体の撮影画像はＣＣＤ１００によって画像信号に変換される。
制御部であるＤＳＰ／ＣＰＵ１０３は、デジタル画像信号の制御と、撮像部１０の制御を行う。
制御部ＤＳＰ／ＣＰＵ１０３には、ＣＣＤ１００を駆動するＴＧ（Ｔｉｍｉｎｇ  Ｇｅｎｅｒａｔｏｒ）１０２が接続され、ＴＧ１０２にはＣＣＤ１００と、ユニット回路１０１が接続されている。
ユニット回路１０１は、入力された画像信号を一旦記憶、保管するＣＤＳ、その画像信号を増幅するゲイン調整アンプＡＧＣ、増幅された画像信号をデジタル画像信号に変換する変換器ＡＤで構成されている。
ＣＣＤ１００の出力信号は、ユニット回路１０１を経てデジタル信号として制御部であるＤＳＰ／ＣＰＵ１０３に送られる。
【００１５】
前記ユニット回路やＣＣＤの他に、制御部ＤＳＰ／ＣＰＵ１０３にはＣＰＵ１１６を介してＬＣＤとその駆動回路とからなる表示部１０９、入力信号をＤＳＰ／ＣＰＵ１０３に出力するシャッターボタンや複数の操作キー、電源キー等の入力部１０８、通信部１１０その他が接続されている。
また、ＡＤＢ（Ａｄｄｒｅｓｓ  Ｄａｔａ  Ｂｕｓ）１０４を介してＩ／Ｏポート１０５、ＲＡＭ１０６、ＥＥＰＲＯＭ等のフラッシュメモリからなる記録部１０７が接続されている。
【００１６】
Ｉ／Ｏポート１０５は、制御部ＤＳＰ／ＣＰＵ１０３でシリアル信号に変換された画像データ等を出力するインターフェースであり、主に外部記録媒体や、外部端末などと接続して記憶された画像データを出力したり、逆に、外部端末から必要なデータを取り込む。
【００１７】
ＲＡＭ１０６は、例えば、撮影待機モードの設定時にＣＣＤ１００によって撮像されたデジタル化画像データを一時保存するとともに、制御部ＤＳＰ／ＣＰＵ１０３のバッファメモリとしても使用する。
【００１８】
記録部１０７は、制御部ＤＳＰ／ＣＰＵ１０３の動作プログラムや各部の制御に使用する各種データ、および、各種の画像を含む送信データ、受信データ、履歴データ等が格納されている。
【００１９】
撮像部１０の制御部ＤＳＰ／ＣＰＵ１０３、ＲＡＭ１０６、記録部１０７、それに前述の記録部に格納されているプログラムは、撮像部の下部に図示されているＣＰＵ１１６、ＲＡＭ１１４、記録部１１５、ＲＯＭ１１３で代行される場合もある。
【００２０】
入力部１０８は、撮像部１０、操作キー部等で構成される。
操作キー部は、例えば、電源、ＧＳＰの入力のためのファンクションキー、アルファベットキー、仮名キー、撮像部のシャッター等で構成される。
【００２１】
表示部１０９は、ＬＣＤ（Ｌｉｑｕｉｄ  Ｃｒｙｓｔａｌ  Ｄｉｓｐｌａｙ）及びその駆動回路からなり、画像情報、位置情報、日付，時間情報、入力された文字情報等を表示する。
【００２２】
通信部１１０は、基地局（図示せず）との間で通信プロトコルに基づく通信制御シーケンスを実行するとともに、音声データ、画像データ、テキストデータその他各種データ信号、および制御信号を送受信する。
【００２３】
時計部１１１は、前述の画像を撮影した年月日、時刻等に関するデータをＣＰＵ１１６に出力する。
【００２４】
ＧＰＳ部は、撮影装置の現在位置をＣＰＵに出力する。ＣＰＵに出力する位置情報は、緯度経度を“度”、“分”、“秒”の単位で出力することができる。
【００２５】
ＲＯＭ１１３には、制御部であるＣＰＵ１１６の動作プログラム、通信処理プログラム、それに各部の制御に使用する各種プログラムが搭載されている。
【００２６】
ＲＡＭ１１４は、待機モードの設定時にデータを一時保存するとともに、ＣＰＵ１１６のバッファメモリとして機能する。ＣＣＤ（１００）によって撮像されたデジタル化画像データの一時保管として使用する場合もある。
【００２７】
記録部１１５には、撮影された画像データ、及びその関連データを格納する。記録部に使用されているメモリは、ＥＥＰＲＯＭ等の電源がオフ状態にあるとき、及び電池の交換に際しても記憶データが保持される電気的に消去可能な不揮発性メモリである。
また、大きな記録容量を必要とする装置ではハードディスクを使用する。
【００２８】
図４を参照して、撮影装置内の自動処理機能である画像情報と画像関連情報の合成、改竄不能化、暗号化等の一連の処理手順について説明する。
まず撮影装置１は、ＣＡ（Ｃｅｒｔｉｆｉｃａｔｉｏｎ  Ａｕｔｈｏｒｉｔｙ）と呼ばれる証明機関から対を成す公開鍵，秘密鍵と電子証明書、または、公開鍵証明書を取得する（Ｓ１１）。
この電子証明書は、撮影されたデジタル画像を、営業所又は、本社等に送信する際に送信画像が傍受され改竄されないように、画像情報及び画像関連情報を暗号化するためのものである。
公開鍵暗号方式の公開鍵、秘密鍵を使用するのが一般的であるが、会社の内部で使用する場合は、厳密に管理された共通鍵によって暗号化されても良い。
この共通鍵の場合は、企業対従業員、団体対職員の間の通信で、例えば、企業、団体の企業ネットを通じて従業員、職員に貸与している撮影装置の中に秘密裏に組み込むことができる。
また、共通鍵を使用した場合、企業側は定期的な鍵の変更を自由にできるメリットがある。
【００２９】
撮影装置の管理者は、事前に取得し、保管している公開鍵、および、それを証明する電子証明書、秘密鍵を撮影装置に読出し不能に格納する（Ｓ１２）。
【００３０】
次に、電子証明書と秘密鍵が格納された撮影装置の撮像部で被写体を撮影する（Ｓ１３）。
画像が入力されると撮影装置はＧＰＳ部によって撮影された場所の緯度／経度情報を自動的に出力し、所定の記録部に入力する（Ｓ１４）。
更に、撮影装置の機械番号が所定の記録部に入力される（Ｓ１５）。続いて日付情報が自動的に入力される（Ｓ１６）。
【００３１】
ここで、所定の記録部に一時保管されている画像情報、撮影場所情報、撮影装置の機械番号、日付情報に対し、改竄不能化処理が行なわれる（Ｓ１７）。
改竄不能化処理は、画像情報と画像関連情報を合成し、解体不能状態にする作業である。この作業は、特殊なコマンドによらなければ復号できない暗号化のような作業によって行なうことができる。
文字情報が添付される場合は、文字情報と前述の改竄不能化処理が施された画像情報、撮影場所情報、撮影装置の機械番号、日付情報が撮影装置の記録部に読出し不能に格納されている秘密鍵によって暗号化される（Ｓ１８）。
前記画像情報、文字情報のハッシュ値を暗号化して電子署名として添付する（Ｓ１９）。
上述の暗号化情報と、ハッシュ値に対して検索コードが付与される（Ｓ２０）。
これら情報は、撮影装置に組み込まれているメモリカード等の記録媒体に出力され保管される（Ｓ２１）。
またデータを送信したい場合は、撮影装置の通信部によって所定の場所に送信する（Ｓ２２）。
【００３２】
前述のＳ１４の撮影場所情報入力、Ｓ１５の撮影装置の機械番号入力、Ｓ１６の日付情報入力、Ｓ１７の改竄不能化処理、Ｓ１８の暗号化処理、Ｓ１９の電子署名付与、Ｓ２０の検索コード入力作業は、撮影装置の中で各ステップに同調して自動的に行われる。
【００３３】
（実施例）
図５、図６を参照して、建設分野で本発明の写真入報告書作成システムを使用した場合の一例について説明する。
【００３４】
図５に示すａ図〜ｅ図は、整地から住居が完成するまでを５つの代表的な段階に分けて図示したものである。
ａ図において、物件番号ＡＢ１２３８７６５の整地された状態を、ＧＰＳ付きの撮影装置で撮影した画像が、画像２１１ａｇで、この画像の関連情報が画像関連情報２１１ａｄである。
ａ図〜ｅ図は、一定の場所から撮影されており、画像関連情報として撮影年月日“００／０６／１２が表示されている。更に撮影装置の機械番号“ＡＺ１２３４５６７”、撮影場所として“３５４１／１３９３３”が表示されている。
この画像は、デジタルカメラで撮影されておりメモリカードにデジタルデータとして保存される。
画像関連情報の一つ、撮影年月日“００／０６／１２は、２０００年、６月１２日であること、また、画像は、機械番号“ＡＺ１２３４５６７”の装置で撮影されたものであること、また撮影された場所は、東京都の中央部に位置する三鷹市界隈の北緯３５度４１分、東経１３９度３３分の位置であることを示している。
【００３５】
ｂ図は、建物の基礎工事が完了した状態を示した図である。撮影年月日が“００／０７／１０に変わっている。
また、ｃ図は建物の外壁工事が完了した時点が撮影された図である。撮影年月日が“００／０９／１２に変わっている。
また、ｄ図は建物の外壁の上に屋根が載せられ屋根の工事が終わった時点で撮影された図である。撮影年月日が“００／０９／１５に変わっている。
また、ｅ図は建物の窓やドアの取り付けが完了した時点が撮影された図である。撮影年月日が“００／１１／１６に変わっている。
ａ図〜ｅ図に関して撮影年月日以外の関連情報はこの実施例では変わっていない。
撮影装置の機械番号が変る場合があるが撮影場所が変ることはない。
したがって、変わっていても良いデータと変わっていてはいけない情報がありチェックされなければならない。
【００３６】
図６は、報告書の様式の例で、報告書の名称は、工事進捗状況詳細報告書２１１ｃ３となっている。
報告書内容２１１ｃ３２として、“工事進捗状況詳細報告書”なる表題がプリントされ、“報告書作成日”、“物件番号”、“報告書作成者名”を記入するようになっている。
この報告書は、図５におけるｃ図の段階のもので、基礎工事が完了した後の建物の外壁工事が開始された時点のものである。画像情報として、側面と奥の外壁工事が完了した状態の画像情報２１１ｃｇ１がプリントされ、画像関連情報２１１ｃｄ１として撮影年月日００／０９／０８がプリントされている。
その２日後の報告書２１１ｃ２では、正面の外壁工事が終わった画像情報がプリントされ、画像関連情報として撮影年月日００／０９／１０がプリントされている
その２日後の撮影年月日００／０９／１２では、外壁工事が完了したことを示す画像情報がプリントされている。報告書の画像に関する情報は、画像情報と、画像関連情報がプリントされている。
【００３７】
このように、工事の進捗状況は、画像と画像データが添付されてた報告書として報告され、撮影場所のデータが添付されるために他の場所の画像を流用することができず、撮影年月日が打ち出されるために、過去の工事に使用された画像を流用することができないシステムになっている。
【００３８】
【発明の効果】
１）請求項１に記載のように、撮影装置と、報告書作成装置によって写真入り報告書を作成するシステムであって、前記撮影装置は、被写体を撮影し画像情報とする撮影手段と、画像情報に関連する画像関連情報を生成する画像関連情報生成手段と、画像情報と画像関連情報を１対１に対応させて合成画像情報とする合成手段と、合成画像情報を改竄不能にする改竄不能化処理手段と、合成画像情報を暗号化する暗号化手段と、合成画像情報に電子署名を付与する電子署名付与手段と、合成画像情報と電子署名に検索コードを付与する検索コード付与手段と、検索コードを付与された合成画像情報と電子署名を記録媒体に格納する格納手段と、検索コードを付与された合成画像情報と電子署名を送信する送信手段とを備え、前記報告作成装置は、受信手段により受信された、又は記録媒体に格納された合成画像情報と電子署名を読出し手段によって読出し、復号手段によって復号し、合成画像情報を取り出して報告書に貼付して出力手段によって印刷することを特徴とするによって、画像情報と、画像に添付され書き替えができないようになっている画像関連情報を報告書に添付することにより、報告書の信憑度を高め、送信される情報に対しては、電子書名を添付することによって送信時の改竄をチェックすることができる。
２）また、請求項２に記載のように、請求項1に記載の発明において画像関連情報は、少なくとも緯度及び経度で表示される撮影場所情報，撮影装置固有コード，日付及び／または時間情報の中の少なくとも1つを含む情報であることによって、報告書に添付される画像情報の流用、転用を防ぐことができる。
３）また、請求項３、４、５に記載のように、請求項1に記載の発明において、合成手段によって合成された画像情報と画像関連情報を分解不可能にする改竄不能化処理は、合成手段が実行される際に自動的に、または、特別のコマンドによって実行されることによって画像の信頼度を高めることができる。
【図面の簡単な説明】
【図１】本発明の写真入報告書作成システムの機器構成の一実施形態を示す概略図
【図２】本発明の写真入報告書作成システムによる報告書作成手順の一実施形態を示す図
【図３】撮影装置の機能について説明するためのブロック図
【図４】撮影装置の画像撮影と、画像関連情報を合成する手順の一実施形態を示す図
【図５】建設現場の画像と、その画像関連情報の実施例について説明するための図
【図６】図５の画像情報を貼付した報告書の一実施例について説明するための図
【符号の説明】
１      撮影装置
２      報告書作成装置
１０    撮像部
１１    画像記録媒体
２１    報告書関連情報記録媒体
１００  ＣＣＤ
１０１  ユニット回路
１０２  タイミングジェネレーター
１０３  制御部
１０４  アドレスデータバス
１０５  ＩＯポート
１０６，１１４  ＲＡＭ
１０７，１１５  記録部
１０８  入力部
１０９  表示部
１１０  通信部
１１１  時計部
１１２  ＧＰＳ
１１３  ＲＯＭ
【図１】
2004201084.tif 000003
【図２】
2004201084.tif 000004
【図３】
2004201084.tif 000005
【図４】
2004201084.tif 000006
【図５】
2004201084.tif 000007
【図６】
2004201084.tif 000008